(57)【要約】【課題】本発明は不要輻射に対する十分な対策を実現できる光ディスク装置を提供することを目的とする。【解決手段】本発明の光ディスク装置は、一対のケースを組み合わせて構成された筐体と、筐体から出没自在に設けられた保持部材と、光ディスクを回転駆動させる回転駆動手段と、光ディスクに光を照射することで情報の記録か再生の少なくとも一方を行うピックアップモジュールと、導電性材料か軟磁性材料の少なくとも一方を含むスペーサとを備え、一対のケースの少なくとも一部においてスペーサを介して対向させたことで、不要輻射の出入りを抑制できたり、ビビリ音などを低減できる。【選択図】図５
2005056526.tif 000002
【特許請求の範囲】
【請求項１】
一対のケースを組み合わせて構成された筐体と、前記筐体から出没自在に設けられた保持部材と、光ディスクを回転駆動させる回転駆動手段と、光ディスクに光を照射することで情報の記録か再生の少なくとも一方を行うピックアップモジュールと、導電性材料か軟磁性材料の少なくとも一方を含むスペーサとを備え、前記一対のケースの少なくとも一部において前記スペーサを介して対向させたことを特徴とする光ディスク装置。
【請求項２】
一対のケースはそれぞれ主面部とその主面部の外周部に立設された側面部とを有し、前記一対のケースの側面部同士を対向させて筐体を構成し、前記一対のケースを組み合わせることで形成された隙間にスペーサを設けたことを特徴とする請求項１記載の光ディスク装置。
【請求項３】
一対のケースのそれぞれの側面部間にスペーサを設けたことを特徴とする請求項２記載の光ディスク装置。
【請求項４】
一対のケースの内、一方のケースの側面部を他方のケースの側面部の外側に配置して、側面部同士を対向させるとともに、前記一方のケースの主面部における前記他方のケースの側面部の上端部との対向部にスペーサを挟み込んだことを特徴とする請求項１記載の光ディスク装置。
【請求項５】
スペーサは変形可能であることを特徴とする請求項１記載の光ディスク装置。
【請求項６】
スペーサに弾性を持たせたことを特徴とする請求項１記載の光ディスク装置。
【請求項７】
スペーサとしてシート状体を用いたことを特徴とする請求項１記載の光ディスク装置。
【請求項８】
導電性の織布と、前記織布の少なくとも一方の面に設けられた導電性粘着剤とを含むスペーサを用いたことを特徴とする請求項１記載の光ディスク装置。
【請求項９】
軟磁性材料を絶縁体で覆ったスペーサを用いたことを特徴とする請求項１記載の光ディスク装置。
【発明の詳細な説明】
【技術分野】
【０００１】
本発明は、パーソナルコンピュータなどの電子機器に搭載される光ディスク装置に関するものである。
【背景技術】
【０００２】
従来のコンピュータ本体内蔵タイプの光ディスク装置は、装置全体が筐体に収められた構造になっており、これをコンピュータ本体のスペースに組み込むことによって取り付けられるのが一般的であった。
【０００３】
図１１は従来の光ディスク装置の構成を示す斜視図である。
【０００４】
光ディスク装置１には筐体２及びトレイ３があり、トレイ３にはピックアップモジュール４及びベゼル５が構成されている。図１１は、筐体２からトレイ３を引き出した状態を示している。トレイ３の両側部にはレール部６があり、両側部共にレール７とディスク引き出し方向に摺動自在に嵌合している。また、レール７は筐体２両側部内面に設けられたレールガイド８ともディスク引き出し方向に摺動自在に嵌合しており、トレイ３は筐体２からディスクが着脱できるよう引き出すことが出来る。
【０００５】
筐体２は上カバー２ａと下カバー２ｂによって構成されている。
【０００６】
なお、先行文献としては、下記の様なものが存在する。すなわち、（特許文献１）及び（特許文献３）の様に、筐体の外部からシールド部材を設けるもの、或いは（特許文献２）の様に、ケース同士を組み合わせた際に生じる隙間を確実にシールドするものなどがある。
【特許文献１】特開２０００−１６３９４７号公報
【特許文献２】実開平３−２００９６号公報
【特許文献３】実開平５−９０６９３号公報
【発明の開示】
【発明が解決しようとする課題】
【０００７】
上カバー２ａと下カバー２ｂは係止部による係止と螺子止めにて筐体２を形成している。係止による両者の固定は、構造上螺子止めが出来ない箇所において行われることが多い。しかし係止に依る部分は加工上のばらつきに対応する為や組み立てを容易にする為などの理由から両係止部にある程度の寸法裕度が必要であり、このため両者の間に若干の隙間が生じることが避けられない。この隙間により、ドライブの回転時等の振動でビビリ音と呼ばれる接触音が発生する不具合が生じることがあった。また、従来から光ディスク装置を組み込むパーソナルコンピュータ側で十分なシールド対策が成されている時には、それほど問題にはならなかったが、パーソナルコンピュータの薄型・小型化・軽量化などの要請によって、パーソナルコンピュータ自体でのシールド対策が十分ではなく、しかも近年パーソナルコンピュータの使用環境においては、非常に大きな不要輻射を放出する機器の近くで使用されることが多くなってきている。従って、光ディスク装置自体でのシールド性を向上させることが必要になってくる。従来では、上カバー２ａと下カバー２ｂの密着性が十分でないことから、筐体２に求められる光ディスク装置１から発する不要輻射を遮蔽する機能が低下する課題があった。これは、上カバー２ａと下カバー２ｂは金属材料などの比較的弾性が低いので、上カバー２ａと下カバー２ｂを組み合わせた時に、上カバー２ａと下カバー２ｂが完全には密着せず、所定の隙間が生じ、その隙間から不要輻射が出入りするのでないかと考えられる。
【０００８】
また、（特許文献１）及び（特許文献３）においては、外部からシールド部材を設けるので、外形寸法が大きくなり、薄型化小型化には不向きであり、（特許文献２）では、パッキンを絶縁材料で構成されており、導電性や磁気シールド性を有することについては、何らしさもされていない。
【０００９】
本発明は前記従来の課題を解決するもので、不要輻射に対する十分な対策を実現できる光ディスク装置を提供することを目的とする。
【課題を解決するための手段】
【００１０】
かかる問題を解決するために本発明の光ディスク装置は、一対のケースを組み合わせて構成された筐体と、筐体から出没自在に設けられた保持部材と、光ディスクを回転駆動させる回転駆動手段と、光ディスクに光を照射することで情報の記録か再生の少なくとも一方を行うピックアップモジュールと、導電性材料か軟磁性材料の少なくとも一方を含むスペーサとを備え、一対のケースの少なくとも一部においてスペーサを介して対向させた。
【発明の効果】
【００１１】
これにより本発明の光ディスク装置は、筐体を構成する上カバーと下カバー間で隙間が生じることにより、ドライブの回転時等の振動でビビリ音と呼ばれる接触音が発生することを防ぐと共に、筐体の電磁波遮蔽効果を向上し光ディスク装置に出入りする不要輻射を低減することが出来る。
【発明を実施するための最良の形態】
【００１２】
請求項１記載の発明は、一対のケースを組み合わせて構成された筐体と、前記筐体から出没自在に設けられた保持部材と、光ディスクを回転駆動させる回転駆動手段と、光ディスクに光を照射することで情報の記録か再生の少なくとも一方を行うピックアップモジュールと、導電性材料か軟磁性材料の少なくとも一方を含むスペーサとを備え、前記一対のケースの少なくとも一部において前記スペーサを介して対向させたことを特徴とする光ディスク装置であり、一対のケース間の導通を良くできたり、或いはケース間で形成された隙間を埋めることができるので、不要な電磁波の出入りを抑制し、シールド効果を上げることができる。
【００１３】
請求項２記載の発明は、一対のケースはそれぞれ主面部とその主面部の外周部に立設された側面部とを有し、前記一対のケースの側面部同士を対向させて筐体を構成し、前記一対のケースを組み合わせることで形成された隙間にスペーサを設けたことを特徴とする請求項１記載の光ディスク装置であり、一対のケース間の導通を良くできたり、或いはケース間で形成された隙間を埋めることができるので、不要な電磁波の出入りを抑制し、シールド効果を上げることができる。
【００１４】
請求項３記載の発明は、一対のケースのそれぞれの側面部間にスペーサを設けたことを特徴とする請求項２記載の光ディスク装置であり、比較的広い面積でスペーサを設けることができるので、シールド効果を上げることができる。
【００１５】
請求項４記載の発明は、一対のケースの内、一方のケースの側面部を他方のケースの側面部の外側に配置して、側面部同士を対向させるとともに、前記一方のケースの主面部における前記他方のケースの側面部の上端部との対向部にスペーサを挟み込んだことを特徴とする請求項１記載の光ディスク装置であり、確実にシールド効果を上げることができる。
【００１６】
請求項５記載の発明は、スペーサは変形可能であることを特徴とする請求項１記載の光
ディスク装置であり、一対のケースの振動を吸収できるので、ビビリ音などを抑制できる。更に確実に隙間を塞ぐことができるので、不要輻射対策もより確実に実現できる。
【００１７】
請求項６記載の発明は、スペーサに弾性を持たせたことを特徴とする請求項１記載の光ディスク装置であり、更に振動を抑制できる。
【００１８】
請求項７記載の発明は、スペーサとしてシート状体を用いたことを特徴とする請求項１記載の光ディスク装置であり、装置自体が大型化するのを防止できる。
【００１９】
請求項８導電性の織布と、前記織布の少なくとも一方の面に設けられた導電性粘着剤とを含むスペーサを用いたことを特徴とする請求項１記載の光ディスク装置であり、スペーサを簡単に取り付けることができ、生産性が向上し、しかも一対のケース間の導通を確実に実現できる。
【００２０】
請求項９軟磁性材料を絶縁体で覆ったスペーサを用いたことを特徴とする請求項１記載の光ディスク装置であり、隙間のシールドを確実に行うことができる。
【００２１】
以下、発明を実施するための最良の形態について図を用いて説明する。
【００２２】
図１は本発明の一実施の形態における光ディスク装置の外観図、図２は図１は本発明の一実施の形態における光ディスク装置の筐体の外観図、図３、図４はそれぞれ本発明の一実施の形態における光ディスク装置の筐体の上カバー、下カバーの外観図、図５は図１のＡＡ断面図である。
【００２３】
光ディスク装置１には筐体２及びトレイ３があり、図１は筐体２からトレイ３を引き出した状態を示している。トレイ３にはピックアップモジュール４及びベゼル５が設けられている。ピックアップモジュール４にはディスクを回転させるスピンドルモータ４ａと光学的にディスク上に記録されたデータを読み取るかもしくはディスク上に所望のデータを書き込む動作の少なくとも一方を行う光ピックアップ４ｂが構成されている。スピンドルモータ４ａにはディスク装着部４ｃがあり、光ディスクを装着し回転駆動させる。
【００２４】
トレイ３の両側部にはレール部６があり、両側部共にレール７とディスク引き出し方向に摺動自在に嵌合している。また、レール７は筐体２両側部内面に設けられたレールガイド８ともディスク引き出し方向に摺動自在に嵌合しており、トレイ３は筐体２からディスクが着脱できるよう引き出すことが出来る。トレイ３には凹部を形成してディスク装着面９があり、ディスク装着時に光ディスクが一部はみ出す欠落部９ａを有している。
【００２５】
筐体２は光ディスク装置１の構成部材を保持し、かつ電子機器に固定するに十分な強度を維持できる材質で構成されており、鉄，鉄合金，アルミ，アルミ合金，マグネシウム合金などの金属材料で構成され、特にアルミニウムやアルミニウム合金のように軽量な金属材料が望ましい。また、その表面に耐食性などを向上させるために鍍金膜等を設けてもよい。また筐体２は、薄い肉厚で強度を維持でき、導電性を備えた樹脂材料であってもよい。
【００２６】
上カバー２ａは平板状であるが、端部に略直角に折り曲げられた側面部２ｃを一部有している。図４において、下カバー２ｂは正方形もしくは長方形の底面の四辺のうち、トレイ３の引き出し側でない三辺において底面部２ｄに略直角に折り曲げられた側面部２ｅ，２ｆ，２ｇをそれぞれ設けている。底面部２ｄに略直角な３つの側面のうちトレイ３の引き出し方向に平行な側面部２ｅと側面部２ｇの距離は装着する最大の光ディスクの直径よりも小さいため、光ディスクと干渉しないよう側面部２ｇの端部は底面部２ｄに略並行か
つ側面部２ｇに対して底面部２ｄとは反対側に曲がっており、準底面部２ｈを形成している。さらに準底面部２ｈの端部には最大のディスクの直径で干渉しない様に、側面部２ｅとの距離を確保して、側面部２ｅに略並行に、かつ準底面部２ｈに対し側面部２ｇとは反対側に側面部２ｉを形成している。上カバー２ａと下カバー２ｂにて筐体２を構成した状態では、上カバー２ａの側面部２ｃと、下カバー２ｂの側面部２ｅ，２ｆ，２ｇ，２ｉの間の数箇所が対向している。
【００２７】
上カバー２ａと下カバー２ｂにはそれぞれ係止部２ｊ，２ｋが設けられている。本実施の形態の場合、係止部２ｊが爪状片で構成され、係止部２ｋが貫通孔で構成されており、係止部２ｊを貫通孔である係止部２ｋに挿入されて、係止部２ｊが係止部２ｋの貫通孔を構成する外周部に当接して係止されているが、係止部２ｋを爪状片とし、係止部２ｊを貫通孔としても良い。また、上カバー２ａと下カバー２ｂにはそれぞれねじ止め部２ｌ，２ｍが設けられている。係止部２ｊ，２ｋで上カバー２ａと下カバー２ｂを係止し、ねじ止め部２ｌ，２ｍをねじ止めすることによって、上カバー２ａと下カバー２ｂが固定され筐体２が形成される。準底面２ｈ近傍での上カバー２ａと下カバー２ｂの固定においては、ねじ止めでは螺子の先がディスクに当たる可能性がある為、係止による方法が望ましい。上カバー２ａの側面部２ｃと下カバー２ｂの側面部２ｉは、上カバー２ａの側面部２ｃのほうが筐体２の外側になって対向している為、上カバー２ａの係止部２ｊの爪状片は筐体２の外側から下カバー２ｂの係止部の２ｋの貫通孔に挿入され係止している。また、側面部２ｉの上端部２ｎは上カバー２ａの天面部２ｐに対向している。
【００２８】
係止部２ｊ、２ｋのプレス加工時の寸法ばらつきを吸収する為、また組み立て作業を容易にする為、係止部２ｊ、２ｋの係止については若干の裕度が設けられている。すなわち、係止部２ｊを係止部２ｋに挿入しやすくしかも容易に係止が外れない程度に、爪状体である係止部２ｊの大きさを貫通孔である係止部２ｋよりも若干小さく形成している。また、上カバー２ａと下カバー２ｂを係止後において、上カバー２ａの天面部２ｐと下カバー２ｂの側面部２ｉの上端部２ｎが完全に密着しない寸法設定になっている。
【００２９】
シート１０は天面部２ｐに貼り付けられており、この天面部２ｐと側面部２ｉ間の間隙の少なくとも一部を埋める様に設けられている。すなわち、シート１０は天面部２ｐと側面部２ｉに挟まれた構成となっている。シート１０は少なくとも厚み方向に変形可能で好ましくは弾性を有する。シート１０その厚みは天面部２ｐと側面部２ｉ間の間隙と同等か、その弾性にて吸収でき組み立てに支障のない範囲内で間隙に対して大きく設定されている。また、シート１０は導電性を有しており、シート１０が介在することにより上カバー２ａと下カバー２ｂの導通性がより良化する。シート１０の材質は弾性と導電性を有する材質であり、具体的には導電性布テープや導電性布などが望ましい。導電性布テープの構成としては、ポリエステル平織布に銅ニッケルなどのメッキを施した導電性の布の少なくとも一面に金属粒子を分散させた導電性アクリル系粘着剤を設けたもの等が挙げられる。また、導電性布としては、ポリ塩化ビニルなどの繊維に金属泊を巻き付けた導電性糸を織って形成されたものなどが挙げられる。導電性布を用いる場合には、導電性粘着剤を用いて上カバー２ａに貼り付けられる。
【００３０】
シート１０として導電性布を用いた場合には、導電性の接着剤や導電性を有する両面粘着テープにて天面部２ｐに貼り付けられているが、導電性のない接着剤や両面粘着テープであってもそれがシート１０と天面部２ｐの接触面の一部にあり、他の接触面ではシート１０と天面部２ｐが密着し導通するのであれば良い。これによってシートを固定しつつ、結果的に上カバー２ａと下カバー２ｂの導通性がより良化することができる。
【００３１】
更に、シート１０として、導電性布テープを用いた場合には、それ自体に導電性粘着剤が設けられているので、上述の様に別途の粘着剤は不要であり、生産性が良くなるなどの
利点がある。
【００３２】
また、シート１０の固定は上カバー２ａの側面部２ｃや下カバー２ｂの側面部２ｉの上端部２ｎに行っても良い。最終的にシート１０は天面部２ｐと側面部２ｉに挟みつけられるので、仮止め程度の固定であっても良い。
【００３３】
以上の様に、シート１０を設けることで、上カバー２ａと下カバー２ｂとの間に導電性のシート１０を設けたことで、上カバー２ａと下カバー２ｂの導通を良くすることができ、しかも上カバー２ａと下カバー２ｂを組み合わせた際に生じるわずかな隙間にシート１０を設けることで、不要な電磁波の出入りを防止できる。また、シート１０に弾性を持たせることで、ビビリ音などの発生も抑制できる。
【００３４】
なお、本実施の形態では、シート１０を天面部２ｐの外周部の一部に、しかも１カ所のみ設けたが、図６に示すように天面部２ｐの外周部である側面部２ｃ近傍に複数離散的に設けても良く、しかも他のシート１０よりの長さの長いシート１０ａなどを設けても良い。また、シート１０ｂに示すように、他のシート１０よりも幅の広いシート１０ｂを用いても良い。
【００３５】
この様に、シート１０は形状や寸法などを異ならせて複数天面部２ｐの外周部に設けることで、不要輻射に対する対策の設計の幅を持たせることができる。なお、当然のことながら、同じ形状で同じ寸法のシート１０を複数設ける構成としても良い。
【００３６】
また、図７に示すように、天面部２ｐの各辺に対して長いシート１０を一つずつ設けることで、シート１０の貼り付け作業を軽減させることもできる。
【００３７】
更に、図８に示すように、天面部２ｐにシート１０を設けるのではなく、側面部２ｃ上にシート１０を設ける構成でも良い。この構成においても、隙間をシート１０で塞ぐことができるので、不要輻射対策を行うことができる。
【００３８】
また、図９，図１０に示すように、下ケース２ｂの側面部２ｉの外側にシート１０を設ける構成としても良い。図１０に示すように、下ケース２ｂと上ケース２ａの側面同士が対向する部分と、上端部２ｎと上ケース２ａとの間の一部にシート１０を介在させることが、シールド面で良く、しかもこの構成によって、シート１０の端部が筐体２の内部に突出しないので、突出した部分による不具合を解消できる。なお、シート１０の端部１０ａが突出しても、不具合があまり生じない場合には、上端部２ｎの断面から見て全面にシート１０の端部１０ｃを設ける構成としても良い。
【００３９】
なお、本実施の形態としては、スペーサ（シールド対策部材）として、シート１０を設けたが、スペーサとしては、導電ゴムなどの導電性弾性体や、軟磁性材料を樹脂フィルムなどの絶縁材料で覆ったシールド部材を用いても良い。
【００４０】
また、スペーサには、導電性と軟磁性の双方の特性を有する様に構成しても良い。
【産業上の利用可能性】
【００４１】
本発明の光ディスク装置は、筐体を構成する上カバーと下カバー間で隙間が生じることにより、ドライブの回転時等の振動でビビリ音と呼ばれる接触音が発生することを防ぐと共に、筐体の電磁波遮蔽効果をできる光ディスク装置等に適応できる。
【図面の簡単な説明】
【００４２】
【図１】本発明の一実施の形態における光ディスク装置の外観図
【図２】本発明の一実施の形態における光ディスク装置の筐体の外観図
【図３】本発明の一実施の形態における光ディスク装置の筐体の上カバーの外観図
【図４】本発明の一実施の形態における光ディスク装置の筐体の下カバーの外観図
【図５】本発明の一実施の形態における光ディスク装置の断面図
【図６】本発明の他の実施の形態における光ディスク装置の筐体の上カバーの斜視図
【図７】本発明の他の実施の形態における光ディスク装置の筐体の上カバーの斜視図
【図８】本発明の他の実施の形態における光ディスク装置の筐体の上カバーの斜視図
【図９】本発明の他の実施の形態における光ディスク装置の筐体の斜視図
【図１０】本発明の他の実施の形態における光ディスク装置の筐体の断面図
【図１１】従来の光ディスク装置の構成を示す斜視図
【符号の説明】
【００４３】
１    光ディスク装置
２    筐体
２ａ    上カバー
２ｂ    下カバー
２ｃ，２ｅ，２ｆ，２ｇ，２ｉ    側面部
２ｐ    天面部
２ｄ    底面部
３    トレイ
４    ピックアップモジュール
４ａ    スピンドルモータ
４ｂ    光ピックアップ
１０，１０ａ，１０ｂ    シート
【図１】
2005056526.tif 000003
【図２】
2005056526.tif 000004
【図３】
2005056526.tif 000005
【図４】
2005056526.tif 000006
【図５】
2005056526.tif 000007
【図６】
2005056526.tif 000008
【図７】
2005056526.tif 000009
【図８】
2005056526.tif 000010
【図９】
2005056526.tif 000011
【図１０】
2005056526.tif 000012
【図１１】
2005056526.tif 000013